(57)【要約】【課題】  施工が容易であり、また挫屈等レリースワイヤの悪化・破損が生じない遠隔操作式排水栓装置を提供する。【解決手段】  槽体の排水口１を遠隔操作的に開閉するための遠隔操作式排水栓装置を、槽体の底面に開口した排水口１と、排水口１を開閉する弁部材２と、弁部材２を上下動させる駆動部３と、該駆動部３の駆動を操作する操作部４と、操作部４に入力された操作情報を赤外線にて発振出力する、操作部４に備えられた赤外線出力部５と、操作部４からの赤外線による操作情報に受信し、操作情報に応じて駆動部３を動作させる赤外線受信部６と、から構成する。また、レリースワイヤを省略したため、操作部４を視認しても排水口１の開閉状態が確認できないことから、排水口１の開閉の状態を、槽体の外部に表示する表示機能を備えて構成する。【選択図】図１
2013060788.tif 000002
【特許請求の範囲】
【請求項１】
槽体に設けられた排水口１を遠隔操作的に開閉するための遠隔操作式排水栓装置であって、
槽体の底面に開口した排水口１と、
排水口１を開閉する弁部材２と、
弁部材２を上下動させる駆動部３と、
該駆動部３の駆動を操作する操作部４と、
操作部４に入力された操作情報を赤外線にて発振出力する、操作部４に備えられた赤外線出力部５と、
操作部４からの赤外線による操作情報に受信し、操作情報に応じて駆動部３を動作させる赤外線受信部６と、
からなる遠隔操作式排水栓装置。
【請求項２】
上記遠隔操作式排水栓装置において、
赤外線出力部５を、槽体底面よりも下方に突出させたことを特徴とする、請求項１に記載の遠隔操作式排水栓装置。
【請求項３】
上記遠隔操作式排水栓装置において、
赤外線受信部６を、槽体外側面よりも赤外線受信部６側に突出させたことを特徴とする、請求項１に記載の遠隔操作式排水栓装置。
【請求項４】
上記遠隔操作式排水栓装置において、
赤外線出力部５から赤外線受信部６の間に、赤外線出力部５から出力された赤外線を加工して赤外線受信機に出力する中継機構を備えたことを特徴とする、請求項１に記載の遠隔操作式排水栓装置。
【請求項５】
上記遠隔操作式排水栓装置において、
中継機構を、赤外線出力部５からの赤外線を、赤外線受信部６に向けて屈曲させる鏡面体であることを特徴とする、請求項４に記載の遠隔操作式排水栓装置。
【請求項６】
上記遠隔操作式排水栓装置において、
排水口１の開閉の状態を、槽体の外部に表示する表示機能を備えたことを特徴とする、請求項１乃至請求項５のいずれか一つに記載の遠隔操作式排水栓装置。
【請求項７】
上記遠隔操作式排水栓装置において、表示機能を、
受信部または駆動部３と接続された、槽体裏面側に設けた発光部７と、
槽体裏面と生活空間とを区画する壁面に設けた、排水栓本体９外面と透明又は半透明な光透過領域を有する表示部８ａと、から成し、
排水栓本体９の開閉の状態を、発光部７にて発光出力し、表示部８ａを介して生活空間側に表示するように構成したことを特徴とする、請求項６に記載の遠隔操作式排水栓装置。
【発明の詳細な説明】
【技術分野】
【０００１】
本発明は、遠隔操作式排水栓装置に関し、更に詳しくは、施工性・信頼性の良好な遠隔操作式排水栓装置に関するものである。
【背景技術】
【０００２】
従来より、浴槽や洗面ボウルなどの槽体の内部に生じた排水を処理するため、槽体の底面等に排水口を設け、この排水口に排水装置を接続することで、排水を、排水口から排水装置を介し下水側に排出する方法が従来より広く知られている。一例として、図６に、特許文献１に記載の槽体と排水装置を示す。この図６に示した従来の槽体と排水装置は、遠隔操作式排水栓装置と呼ばれる排水装置であって、排水口から離間した場所に設けた操作部に操作を加えることによって、排水口の開閉を行うことができるようにしたものである。
【０００３】
図６に図示した従来例の排水装置は、以下に記載した槽体としての浴槽、排水栓本体、弁部材、支持部材、レリースワイヤ、操作部、エルボ部材、ガイド管、より構成されてなる。
浴槽は、上方が開口した箱体であって、底面には排水栓本体を取り付ける取付孔を、上方の開口の周縁には操作部を取り付ける操作部取付孔を、それぞれ設けてなる。
排水栓本体は、内部に排水口を形成する略円筒形状の部材であって、その外側面上縁にフランジ部を備えてなる。
弁部材は、上記排水口を閉口する円盤状の弁体と、該弁体の下面中央に設けられた嵌合部よりなる。
支持部材は、排水口内に収納固定される部材であって、後述するレリースワイヤの端部を固定した状態で、排水口内に嵌合固定することで、レリースワイヤ端部を排水栓本体に対して固定する。
レリースワイヤは、側面方向に可撓性を備え軸方向に剛性を備えた中空のアウターチューブと、該アウターチューブ内部に収納され、軸方向に摺動自在に動作するインナーワイヤと、インナーワイヤの一方の端部に備えられ、その先端が上記弁体の嵌合部に嵌合する弁軸と、インナーワイヤを操作部側に付勢する戻りスプリングと、からなる。
更にこの従来例では、レリースワイヤの弁軸を備えない側の端部に、スラストロック機構と呼ばれる、操作軸を備え、該操作軸に押し込み操作を加える毎に、操作軸を前進（降下）して固定／固定を解除してレリースワイヤのインナーワイヤに付勢されて後退（上昇）、を繰り返す機構を内蔵した、支持機構部を備えてなる。
エルボ部材は、排水栓本体の雄ネジと螺合する雌ネジを設けた開口部、前記排水口から流れ込む排水を下水側に排出するための排出口、及びレリースワイヤを挿通する挿通口を備えてなる。
操作部は、以下に記載する操作部本体と、ボタン部材からなる。
操作部本体は、略円筒形状にして、操作部取付孔に取り付けられる部材であって、内部にレリースワイヤを挿通した上で、支持機構部を収納した状態で着脱自在に収納固定する。
ボタン部材は、円盤状の部材であって、その外側面の形状は、操作部本体の内側面にほぼ合致すると共に、その下面中央に操作軸の先端と嵌合するように構成されてなる。
ガイド管は、軸方向に剛性を、側面方向に可撓性を備えた塩化ビニールからなる長い筒状の部材であって、一端をエルボ部材の挿通口に、他端を操作部本体の下端部分に、それぞれ接続してなる。
【０００４】
上記のように構成した遠隔操作式排水栓装置を槽体である浴槽に取り付ける場合、まず、排水栓本体を浴槽の上方から、浴槽に設けた排水栓取付孔の周縁上面にフランジ部下面が当接するように配置して、更に排水栓本体とエルボ部材を螺合させ、排水栓取付孔に排水栓本体とエルボ部材を取り付け固定する。
次に、浴槽上縁部に設けられた操作部取付孔に、事前にガイド管を取り付けておいた操作部本体を挿通し、操作部本体を操作部取付孔に取り付け固定する。その後、ガイド管の他端を、エルボ管の挿通口に接続する。
更にレリースワイヤを、弁軸側を先端とし操作部本体に挿入し、操作部本体内に支持機構部を収納固定する。
この時、レリースワイヤの先端は、ガイド管によって案内され、ガイド管を介して、挿通口からエルボ部材内に挿通される。この状態より、ラジオペンチなどの治具を利用しつつ、レリースワイヤの先端部分を排水口内部から浴槽内部側に引き上げる。
更にレリースワイヤの端部を支持部材に接続した後、支持部材を排水口内に嵌合固定させて取り付け固定する。その後、インナーワイヤ端部の弁軸を、弁部材の嵌合部に嵌合させる。
更に操作軸の上端に、操作体の操作体嵌合部を嵌合させて、従来例の排水装置の取り付けが完了する。
【０００５】
上記従来例の排水装置を使用する場合、まず操作部のボタン部材に押し込み操作を加えて弁体が排水口を閉口した状態、即ちレリースワイヤのインナーワイヤが操作部側に後退し、弁部材が降下した状態とする。この状態よりボタン部材に押し込み操作を加えて、インナーワイヤを排水口側に前進させると、インナーワイヤ先端の弁軸が上昇して弁部材を押上げ、弁体が上昇して排水口を開口する。この開口状態は、スラストロック機構によって操作軸が降下した状態で固定され、操作軸下端がインナーワイヤ端部を前進させた状態で当接することで維持される。
この状態より操作体に再度押し込み操作を加えてスラストロック機構の操作軸の固定状態を解除すると、弁部材の自重や戻りスプリングの作用により、インナーワイヤが操作部側に後退し、弁軸が下降するため、弁軸に押し上げられていた弁部材も降下して弁体が排水口を閉口する。以後この操作を繰り返すことで排水口の開閉を自在に操作することができる。
【特許文献１】特開２００２−８８８５３号
【発明の開示】
【発明が解決しようとする課題】
【０００６】
上記のように構成した、従来例の排水装置の問題点として、レリースワイヤの両端を、操作部と排水栓本体とに接続する必要がある、という点が上げられる。上記従来例では、操作部に加えた操作を、レリースワイヤを使って弁体に伝達し、弁体の上下動による開閉を行うが、この為にはレリースワイヤの両端を、操作部と弁体側（排水栓など）に強固に接続固定しなければならない。しかしながら、この接続固定の作業は狭い浴槽内部や排水栓本体内部で行う必要が有り、作業が困難で、また施工が正しく行えていない場合があった。また、レリースワイヤは排水栓本体内などで急激に曲げられ、またレリースワイヤを必要以上に余裕を持って設計することができない（レリースワイヤをガイド管内に通す関係から、必要以上に長すぎるとガイド管内でたるみを生じたり捻れたりして不具合となる）ため、レリースワイヤが操作部と排水栓本体の間でピンと張りつめた状態となり、レリースワイヤに負荷がかかりすぎ、破損してしまう、という問題があった。
また、排水栓内ににてレリースワイヤが小半径で曲げられた状態に取り付けられるが、この状態でレリースワイヤの内部でインナーワイヤが進退するため、インナーワイヤが小半径で「曲がり」と「直線」とに変形を繰り返すことになり、挫屈と呼ばれる破損を起こすことがあった。
本発明は上記問題点に鑑み発明されたものであって、施工が容易であり、また挫屈等レリースワイヤの悪化・破損が生じない遠隔操作式排水栓装置を提供するためのものである。
【課題を解決するための手段】
【０００７】
請求項１に記載の本発明は、槽体に設けられた排水口１を遠隔操作的に開閉するための遠隔操作式排水栓装置であって、
槽体の底面に開口した排水口１と、排水口１を開閉する弁部材２と、弁部材２を上下動させる駆動部３と、該駆動部３の駆動を操作する操作部４と、操作部４に入力された操作情報を赤外線にて発振出力する、操作部４に備えられた赤外線出力部５と、操作部４からの赤外線による操作情報に受信し、操作情報に応じて駆動部３を動作させる赤外線受信部６と、からなる遠隔操作式排水栓装置である。
【０００８】
請求項２に記載の本発明は、上記遠隔操作式排水栓装置において、赤外線出力部５を、槽体底面よりも下方に突出させたことを特徴とする、上記段落０００７に記載の遠隔操作式排水栓装置である。
【０００９】
請求項３に記載の本発明は、上記遠隔操作式排水栓装置において、
赤外線受信部６を、槽体外側面よりも赤外線受信部６側に突出させたことを特徴とする、上記段落０００７に記載の遠隔操作式排水栓装置である。
【００１０】
請求項４に記載の本発明は、上記遠隔操作式排水栓装置において、赤外線出力部５から赤外線受信部６の間に、赤外線出力部５から出力された赤外線を加工して赤外線受信機に出力する中継機構を備えたことを特徴とする、上記段落０００７乃至段落０００９のいずれか一つに記載の遠隔操作式排水栓装置である。
尚、ここで言う「加工」とは、赤外線出力部からの赤外線に何らかの変化を加える、という意味であって、例えば鏡面によって赤外線の照射される方向を変化させる、という単純なものから、赤外線出力部と赤外線受信部とで、開閉の信号の規格が異なる場合に、赤外線出力部の規格に沿った開閉信号を、赤外線受信部の規格に沿った開閉信号に変換する変換器としての中継機構や、赤外線出力部の赤外線の出力を、増幅して出力する増幅器としての中継機構等を含むものである。
【００１１】
請求項５に記載の本発明は、上記遠隔操作式排水栓装置において、中継機構を、赤外線出力部５からの赤外線を、赤外線受信部６に向けて屈曲させる鏡面体であることを特徴とする、上記段落００１０に記載の遠隔操作式排水栓装置である。
【００１２】
請求項６に記載の本発明は、上記遠隔操作式排水栓装置において、排水口１の開閉の状態を、槽体の外部に表示する表示機能を備えたことを特徴とする、上記段落０００７乃至段落００１１のいずれか一つに記載の遠隔操作式排水栓装置である。
【００１３】
請求項７に記載の本発明は、上記遠隔操作式排水栓装置において、表示機能を、受信部または駆動部３と接続された、槽体裏面側に設けた発光部７と、槽体裏面と生活空間とを区画する壁面に設けた、排水栓本体９外面と透明又は半透明な光透過領域を有する表示部８ａと、から成し、排水栓本体９の開閉の状態を、発光部７にて発光出力し、表示部８ａを介して生活空間側に表示するように構成したことを特徴とする、上記段落００１２に記載の遠隔操作式排水栓装置である。
【発明の効果】
【００１４】
請求項１に記載の本発明では、遠隔操作式排水栓装置において、操作部に加えた操作を、赤外線を利用した通信によって排水栓本体側の駆動部に伝達する。このため、操作部と駆動部とを有線で接続する必要が無くなり、施工が簡略化できると共に、レリースワイヤや、その内部のインナーワイヤなどの線材が破損して、遠隔操作式排水栓装置が故障する、といった問題も無くなった。
また、通常操作部は槽体の開口周縁に、弁体や排水栓本体は槽体の底面に、それぞれ配置される。このため、単純に操作部に隣接するように赤外線出力部を設け、排水栓本体に隣接するようにして赤外線受信部を設けた場合、赤外線出力部にて発振出力された赤外線は、槽体が障害となって赤外線受信部に届かない状態となる。請求項２乃至請求項５に記載した発明では、このような、槽体が障害となって赤外線出力部から出力した情報が、赤外線受信部に届かない状態となることを回避することができる。
また、従来例の遠隔操作式排水栓装置においては、操作部のボタン部材の状態を確認することで、槽体内部の排水口を確認しなくても、排水口が閉口しているか否かを確認することができた（ボタン部材が上昇していれば排水口は閉口しており、ボタン部材が下降していれば排水口は開口している）。しかしながら、上記請求項１乃至請求項５に記載した遠隔操作式排水栓装置では、駆動部や排水栓本体等から、操作部へ、開閉の動作を伝達する構成が無いため、操作部を確認しても排水口の開閉の状態を確認することはできなかった。また、仮に、操作部側に、操作部に加えた操作を表示する機能を付加したとしても、その操作が確実に駆動部に伝わり、実行されているかを確認する機構は備えられていない。このため、操作部に加えられた操作により赤外線出力部から赤外線が発振出力されても、何らかの不具合により赤外線受信部に届かず、操作部に加えられた操作に対応した動作が排水口において行われなかった場合、操作部の開閉状態での表示と、実際の排水口における開閉状態とが合致しないこととなってしまう。洗面台の遠隔操作式排水栓装置などでは、単純に槽体の近傍にまで近づき、排水口の状態を確認する方法も考えられるが、浴槽に用いられる遠隔操作式排水栓装置では、槽体である浴槽に近づくことは、浴室の洗い場に移動することであり、洗い場上の水滴や汚れ等を（大抵は裸足で）踏むことになり、不快且つ不衛生である。
請求項６に記載された本発明では、排水栓本体の開閉の状態を、槽体の外部に表示する表示機能を備えたことで、上記のようにレリースワイヤ等を省略した遠隔操作式排水栓装置においても、浴槽内部を確認することなく、排水口の開閉の状態を確認することができる。
特に請求項７に記載した遠隔操作式排水栓装置の場合、壁面上に設けた、透明又は半透明な光透過領域を有する表示部を利用することで、壁面に穴を開けたり、壁面などに配線接続等を行う必要も無く、容易に遠隔操作式排水栓装置の排水口の状態を表示する表示機構を備えることができる。
【図面の簡単な説明】
【００１５】
【図１】排水口が閉口した第一実施例の遠隔操作式排水栓装置を示す断面図である。
【図２】排水口が開口した第一実施例の遠隔操作式排水栓装置を示す断面図である。
【図３】第二実施例の遠隔操作式排水栓装置を示す断面図である。
【図４】第三実施例の遠隔操作式排水栓装置を示す断面図である。
【図５】他の実施例の遠隔操作式排水栓装置を示す断面図である。
【図６】従来の遠隔操作式排水栓装置を示す断面図である。
【実施例】
【００１６】
以下に、本発明の第一実施例について、図面を参照しつつ説明する。
図１乃至図２に示した、本発明の第一実施例の遠隔操作式排水栓装置は、請求項１、請求項２に対応する実施例であって、以下に記載する、槽体としての浴槽Ｂ、防水パンＰ、エプロン部材８、排水栓本体９、弁部材２、エルボ部材１０、駆動部３、操作部４、赤外線出力部５及び赤外線受信部６、から構成される。
浴槽Ｂは、上方が開口した箱体であって、底面には浴槽Ｂ内の排水を排出するための、平面視円形を成す取付孔Ｂ１を設けてなる。また、浴槽Ｂの開口周縁に、操作部４を取り付けるための操作部取付孔Ｂ２を備えてなる。
防水パンＰは、浴槽Ｂを載置すると共に、浴室の使用者が身体を洗う等する水受けパンであり、略中央部分に、浴槽Ｂを載置する浴槽載置部Ｐ１と、浴室使用者が身体を洗う等する洗い場部Ｐ２とを区画する堰部分Ｐ３を備えてなる。
エプロン部材８は、浴槽Ｂ上縁から堰部分Ｐ３の間に配置される板状の部材であって、浴槽Ｂ裏面から浴槽載置部Ｐ１上面の間の空間を覆い隠し、また区画する機能を備える。即ち、エプロン部材８は、槽体裏面と生活空間である洗い場部Ｐ２とを区画する壁面となる部材である。
排水栓本体９は、上方外周にフランジ部９ａを備えた、略円筒形状を成す部材であって、内部には浴槽Ｂからの排水が流入する排水口１を備えてなる。
弁部材２は排水口１を閉塞する部材であって、円盤状の弁体２ａと、該弁体２ａの下面中央に設けられた嵌合部２ｂと、から構成されてなる。
エルボ部材１０は、上面に排水栓本体９を取り付ける接続口１０ａを、側面に内部の排水を排出する排出口１０ｂを備えてなり、また側面に駆動部３と赤外線受信部６とを連絡し、また赤外線受信部６を固定するための挿通管１０ｃを備えてなる。
駆動部３は、エルボ部材１０内部に配置され、電力によって動作する部材であって、赤外線受信部６より入力される情報に応じて上下動する弁軸３ａを備えてなる。該弁軸３ａの先端は弁部材２の嵌合部２ｂと嵌合し、弁軸３ａの上下動に併せて弁部材２も上下動するように構成されてなる。このようにして、弁体２ａが排水口１の上端から離間することで排水口１を開口／閉口させる。
操作部４は浴槽Ｂの操作部取付孔Ｂ２に取り付けられる部材であって、操作を加える毎に、電気配線Ｌを介して接続される赤外線出力部５に、排水口１の開口／閉口の情報を出力する。
赤外線出力部５は、操作部４に加えられた操作に応じて、排水口１を開口／閉口させる指示情報を含んだ赤外線を、赤外線受信部６に出力する。この赤外線による情報の伝達は、赤外線の強さや照射範囲（つまり赤外線の形状）等ではなく、赤外線の明滅によって行われる。即ち「排水口１の開口」を指示する赤外線の明滅のパターンと、「排水口１の閉口」を指示する赤外線の明滅のパターンにはそれぞれ固有のパターンが設定されている。
また、本実施例では、操作部４から下方に向かってアーム部１１が設けられ、このアーム部１１に赤外線出力部５が固定される。赤外線出力部５を固定する位置は任意にて設定することができるが、本第一実施例では、赤外線出力部５は、槽体である浴槽Ｂの底面よりも下方で、且つ防水パンＰの浴槽載置部Ｐ１よりも上方に位置するように突出した位置に固定している。尚、本実施例では、図示しないが操作部４に外部の電源を接続し、電力を供給すると共に、これに接続される赤外線出力部５にも電力を供給している。
赤外線受信部６は、操作部４に備えられた赤外線出力部５から発振出力された赤外線を受信する部材であって、赤外線出力部５より出力された赤外線に含まれる情報に応じて、駆動部３に弁部材２を上昇させ、または降下させる情報を出力する。尚、本実施例では、図示しないが赤外線受信部６に外部の電源を接続し、電力を供給すると共に、これに接続される駆動部３にも赤外線受信部６を介して電力を供給している。
【００１７】
以上のように構成した本発明の第一実施例の遠隔操作式排水栓装置は、以下のようにして槽体である浴槽Ｂに施工・取り付けされる。尚詳述はしないが、部材同士の接続箇所において、水密性が必要とされる部分にはパッキングや接着剤などを用いて水密的な接続が行われる。
まず、排水エルボに駆動部３及び赤外線受信部６を取り付ける。この時は、排水エルボの内部に駆動部３を配置固定し、更に挿通管１０ｃを介して駆動部３と接続されるようにして赤外線受信部６を排水エルボに取り付け固定する。
次に、取付孔Ｂ１に排水栓本体９と排水エルボを取り付ける。この場合、まず排水エルボの排出口１０ｂに、床下配管に繋がる下流側の配管を接続した上で、浴槽Ｂを防水パンＰの浴槽載置部Ｐ１上に配置する。更に、排水栓本体９を取付孔Ｂ１上方から挿入し、排水栓本体９下方を、排水エルボ内部に挿入して、フランジ部９ａ下面と、エルボ部材１０上端とで取付孔Ｂ１周縁を挟持した上で排水栓本体９と排水エルボとをネジなどを利用し固定する。
次に、操作部取付孔Ｂ２に操作部４を取り付けると共に、操作部４から下方に向かって設けたアーム部１１に赤外線出力部５を固定する。アーム部１１に赤外線出力部５を固定する際は、槽体である浴槽Ｂの底面よりも下方で、且つ防水パンＰよりも上方に位置するように配置し、また当然ながら赤外線出力部５が、赤外線受信部６を向くように配置固定する。
次に、操作部４及び赤外線受信部６に電源を接続した後、エプロン部材８を浴槽Ｂ上縁から堰部分Ｐ３の間に配置すると共に、弁部材２の嵌合部２ｂに弁軸３ａ先端を嵌合させて排水口１に弁部材２を配置して、第一実施例の遠隔操作式排水栓装置の施工が完了する。
【００１８】
上記のように施工された第一実施例の遠隔操作式排水栓装置は、以下のように操作することで、遠隔操作により排水装置排水口１を開閉できる。
まず、弁部材２が降下し、排水口１が閉口されている状態とする。
この状態において操作部４に排水口１を開口する操作を加えると、赤外線出力部５は、操作部４に加えられた操作に応じて、排水口１を開口させる指示情報を含んだ赤外線を、赤外線受信部６に出力する。この赤外線による情報を赤外線受信部６が受信すると、駆動部３に弁軸３ａを上昇させる情報を出力し、これに応じて駆動部３が弁軸３ａを押し上げ、その先端に嵌合している弁部材２の弁体２ａが排水口１周縁から離間して、排水口１が開口する。浴槽Ｂ内部に排水があった場合、開口した排水口１から、排水栓本体９内部、排水エルボ内部、排出口１０ｂ、の順に排水が流れ、最終的には排出口１０ｂに接続された配管から、床下配管に排水が排出される。
この状態より、操作部４に排水口１を閉口する操作を加えると、赤外線出力部５は、操作部４に加えられた操作に応じて、排水口１を閉口させる指示情報を含んだ赤外線を、赤外線受信部６に出力する。この赤外線による情報を赤外線受信部６が受信すると、駆動部３に弁軸３ａを降下させる情報を出力し、これに応じて駆動部３が弁部材２を降下させ、弁体２ａが排水口１の上端周縁に当接して、排水口１が閉口する。
以後、同様の操作を繰り返すことで、遠隔操作的に、排水口１の開口／閉口を行うことができる。
【００１９】
また、本実施例では、操作部４から下方に向かって設けられたアーム部１１によって、赤外線出力部５が、槽体である浴槽Ｂの底面よりも下方で、且つ防水パンＰよりも上方となる位置に、赤外線受信部６を向いて配置固定されているため、槽体である浴槽Ｂなどが障害となり、赤外線出力部５から出力された赤外線が赤外線受信部６に届かない、という問題が生じない。
【００２０】
次に、本発明の第二実施例について、図面を参照しつつ説明する。
図３に示した、本発明の第二実施例の遠隔操作式排水栓装置は、請求項１、請求項３に対応する実施例であって、以下に記載する、槽体としての浴槽Ｂ、防水パンＰ、エプロン部材８、排水栓本体９、弁部材２、エルボ部材１０、駆動部３、操作部４、赤外線出力部５及び赤外線受信部６、から構成される。
この内、浴槽Ｂ、防水パンＰ、エプロン部材８、排水栓本体９、弁部材２、及び駆動部３は、段落００１６に記載の第一実施例の各部材と同様に構成されてなる。
エルボ部材１０は、上面に排水栓本体９を取り付ける接続口１０ａを、側面に内部の排水を排出する排出口１０ｂを備えてなり、また側面に駆動部３と赤外線受信部６とを連絡するための挿通管１０ｃを備えてなる。
操作部４は浴槽Ｂの操作部取付孔Ｂ２に取り付けられる部材であって、操作を加える毎に、接続される赤外線出力部５に、排水口１の開口／閉口の情報を出力する。
赤外線出力部５は、操作部４に加えられた操作に応じて、排水口１を開口／閉口させる指示情報を含んだ赤外線を、赤外線受信部６に出力する。この赤外線による情報の伝達は、赤外線の強さや照射範囲（つまり赤外線の形状）等ではなく、赤外線の明滅によって行われる。即ち「排水口１の開口」を指示する赤外線の明滅のパターンと、「排水口１の閉口」を指示する赤外線の明滅のパターンにはそれぞれ固有のパターンが設定されている。本実施例では、赤外線出力部５は、操作部４の下端に接続固定される。尚、本実施例では、図示しないが、操作部４に外部の電源を接続し、電力を供給すると共に、これに接続される赤外線出力部５にも電力を供給している。
赤外線受信部６は、操作部４に備えられた赤外線出力部５から発振出力された赤外線を受信する部材であって、赤外線出力部５より出力された赤外線に含まれる情報に応じて、駆動部３に弁部材２を上昇させ、または降下させる情報を出力する。尚、本実施例では、図示しないが、赤外線受信部６に外部の電源を接続し、電力を供給すると共に、赤外線受信部６に電気配線Ｌを介して接続される駆動部３にも電力を供給している。また、本実施例では、赤外線受信部６は両面テープ等を利用し、浴槽Ｂパン上であって、槽体である浴槽Ｂの外側面よりも赤外線受信部６側に突出した位置に固定している。
【００２１】
以上のように構成した本発明の第二実施例の遠隔操作式排水栓装置は、以下のようにして槽体である浴槽Ｂに施工・取り付けされる。尚詳述はしないが、部材同士の接続箇所において、水密性が必要とされる部分にはパッキングや接着剤などを用いて水密的な接続が行われる。
まず、排水エルボの内部に駆動部３を取り付け固定しする。更に挿通管１０ｃを介して、赤外線受信部６からの電気配線Ｌを駆動部３に接続する。
次に、取付孔Ｂ１に排水栓本体９と排水エルボを取り付ける。この場合、まず排水エルボの排出口１０ｂに、床下配管に繋がる下流側の配管を接続した上で、浴槽Ｂを防水パンＰの浴槽載置部Ｐ１上に配置する。更に、排水栓本体９を取付孔Ｂ１上方から挿入し、排水栓本体９下方を、排水エルボ内部に挿入して、フランジ部９ａ下面と、エルボ部材１０上端とで取付孔Ｂ１周縁を挟持した上で排水栓本体９と排水エルボとをネジなどを利用し固定する。
次に、操作部取付孔Ｂ２に操作部４を取り付けると共に、操作部４の下端に、下方を向いた赤外線出力部５を接続し、固定する。更に、両面テープを利用し、赤外線受信部６を、浴槽載置部Ｐ１上であって、槽体である浴槽Ｂの外側面よりも赤外線受信部６側に突出した位置であって、操作部４のほぼ直下になる位置に配置固定する。
次に、操作部４及び赤外線受信部６に電源を接続した後、エプロン部材８を浴槽Ｂ上縁から堰部分Ｐ３の間に配置すると共に、弁部材２の嵌合部２ｂに弁軸３ａ先端を嵌合させて排水口１に弁部材２を配置して、第二実施例の遠隔操作式排水栓装置の施工が完了する。
【００２２】
上記のように施工された第二実施例の遠隔操作式排水栓装置は、段落００１８に記載した第一実施例と同様の操作を行うことで、遠隔操作により排水装置排水口１を開閉することができる。
【００２３】
また、本実施例では、赤外線受信部６を、槽体である浴槽Ｂの外側面よりも赤外線受信部６側に突出した位置であって、操作部４のほぼ直下になる位置に配置固定したことによって、槽体である浴槽Ｂなどが障害となり、赤外線出力部５から出力された赤外線が赤外線受信部６に届かない、という問題が生じない。
【００２４】
次に、本発明の第三実施例について、図面を参照しつつ説明する。
図４に示した、本発明の第三実施例の遠隔操作式排水栓装置は、請求項１、請求項４乃至請求項７に対応する実施例であって、以下に記載する、槽体としての浴槽Ｂ、防水パンＰ、エプロン部材８、排水栓本体９、弁部材２、エルボ部材１０、駆動部３、操作部４、赤外線出力部５及び赤外線受信部６、導光管１２ａ、発光部７、から構成される。
この内、浴槽Ｂ、防水パンＰ、排水栓本体９、弁部材２、エルボ部材１０、及び駆動部３は、段落００１６に記載の第一実施例の各部材と同様に構成されてなる。
エプロン部材８は、浴槽Ｂ上縁から堰部分Ｐ３の間に配置される板状の部材であって、浴槽Ｂ裏面から浴槽載置部Ｐ１上面の間の空間を覆い隠し、また区画する機能を備える。即ち、エプロン部材８は、槽体裏面と生活空間である洗い場部Ｐ２とを区画する壁面となる部材である。また、本実施例のエプロン部材８は、壁面のほぼ中央部分に半透明な光透過領域からなる表示部８ａを備えてなる。
操作部４は浴槽Ｂの操作部取付孔Ｂ２に取り付けられる部材であって、操作を加える毎に、接続される赤外線出力部５に、排水口１の開口／閉口の情報を出力する。
赤外線出力部５は、操作部４に加えられた操作に応じて、排水口１を開口／閉口させる指示情報を含んだ赤外線を、赤外線受信部６に出力する。この赤外線による情報の伝達は、赤外線の強さや照射範囲（つまり赤外線の形状）等ではなく、赤外線の明滅によって行われる。即ち「排水口１の開口」を指示する赤外線の明滅のパターンと、「排水口１の閉口」を指示する赤外線の明滅のパターンにはそれぞれ固有のパターンが設定されている。本実施例では、赤外線出力部５は、操作部４の下端に接続固定される。尚、本実施例では、図示しないが、操作部４に外部の電源を接続し、電力を供給すると共に、これに接続される赤外線出力部５にも電力を供給している。
赤外線受信部６は、操作部４に備えられた赤外線出力部５から発振出力された赤外線を受信する部材であって、赤外線出力部５より出力された赤外線に含まれる情報に応じて、駆動部３に弁部材２を上昇させ、または降下させる情報を出力する。尚、本実施例では、図示しないが、赤外線受信部６に外部の電源を接続し、電力を供給すると共に、これに接続される駆動部３及び駆動部３に接続される発光部７にも赤外線受信部６を介して電力を供給している。
導光管１２ａは側面方向に可撓性を備えたチューブ管の内面に、金属メッキなどの方法で鏡面を構成した部材であって、一端は赤外線出力部５に、他端は赤外線受信部６に、それぞれ接続される。
発光部７は、ＬＥＤ素子によって発光する機能を備えた部材であって、赤外線受信部６に接続され、浴槽Ｂパン上に、エプロン部材８の表示部８ａを向いて配置固定される。
該発光部７は、赤外線受信部６に入力された操作情報に基づいて、３０秒乃至１分程度の間隔で発光を行う。本実施例では、イルミネーション的な効果も持たせる物として、排水口１の開口時には赤色、閉口時には白色の光を、上記３０秒乃至１分程度の間隔で段階をおいて明滅させるように出力する。
【００２５】
以上のように構成した本発明の第三実施例の遠隔操作式排水栓装置は、以下のようにして槽体である浴槽Ｂに施工・取り付けされる。尚詳述はしないが、部材同士の接続箇所において、水密性が必要とされる部分にはパッキングや接着剤などを用いて水密的な接続が行われる。
まず、排水エルボに駆動部３及び赤外線受信部６を取り付ける。この時は、排水エルボの内部に駆動部３を配置固定し、更に挿通管１０ｃを介して駆動部３と接続されるようにして赤外線受信部６を排水エルボに取り付け固定する。
次に、取付孔Ｂ１に排水栓本体９と排水エルボを取り付ける。この場合、まず排水エルボの排出口１０ｂに、床下配管に繋がる下流側の配管を接続した上で、浴槽Ｂを防水パンＰの浴槽載置部Ｐ１上に配置する。更に、排水栓本体９を取付孔Ｂ１上方から挿入し、排水栓本体９下方を、排水エルボ内部に挿入して、フランジ部９ａ下面と、エルボ部材１０上端とで取付孔Ｂ１周縁を挟持した上で排水栓本体９と排水エルボとをネジなどを利用し固定する。
次に、操作部取付孔Ｂ２に操作部４を取り付けると共に、操作部４の下端に、下方を向いた赤外線出力部５を接続し、固定する。
次に、操作部４及び赤外線受信部６に電源を接続した後、導光管１２ａの一端を赤外線出力部５に、他端を赤外線受信部６に、それぞれ接続する。この接続は、浴槽Ｂの外側で行う作業であることから、従来例のレリースワイヤの従来例と比較して容易に行うことができる。
更に、発光部７と赤外線受信部６とを、電気配線を介して接続した上で、発光部７を、浴槽載置部Ｐ１上に、施工完了時にエプロン部材８の表示部８ａが配置される方向を向いて配置固定する。
最後に、エプロン部材８を浴槽Ｂ上縁から堰部分Ｐ３の間に配置すると共に、弁部材２の嵌合部２ｂに弁軸３ａ先端を嵌合させて排水口１に弁部材２を配置して、第三実施例の遠隔操作式排水栓装置の施工が完了する。
【００２６】
上記のように施工された第三実施例の遠隔操作式排水栓装置は、段落００１８に記載した第一実施例と同様の操作を行うことで、遠隔操作により排水装置排水口１を開閉することができる。
【００２７】
また、本実施例では、赤外線出力部５と赤外線受信部６とを、導光管１２ａを介して接続してなる。導光管１２ａは側面方向に可撓性を備えたチューブ管の内面に、金属メッキなどの方法で鏡面を構成した部材であって、赤外線出力部５から出力された赤外線は、チューブ管内を反射しながら、最終的に赤外線受信部６に到達し、駆動部３を作動させる。このように、導光管１２ａに沿って赤外線が進む（正確には導光管１２ａに沿って赤外線が反射する）ため、槽体である浴槽Ｂなどが障害となり、赤外線出力部５から出力された赤外線が赤外線受信部６に届かない、という問題が生じない。このように、導光管１２ａ内で、赤外線出力部５から出力された赤外線は、導光管１２ａ内の鏡面によって「反射する」という加工を受けた上で、赤外線受信部６に到達する。即ち、導光管１２ａは鏡面体からなる中継機構である。
【００２８】
更に本実施例では、エプロン部材８の壁面のほぼ中央部分に半透明な光透過領域からなる表示部８ａを備えると共に、防水パンＰの浴槽載置部Ｐ１上にエプロン部材８の表示部８ａを向いた発光部７を配置固定したことによって、浴室／浴槽Ｂの使用者（浴槽Ｂを外側から確認する人物）が、排水口１の開口／閉口の状態を、浴槽Ｂ内の排水口１を直接目視しなくとも確認することができる、表示機能を備えてなる。具体的には、赤外線受信部６に入力された操作情報に基づき、排水口１の開口時には赤色、閉口時には白色の光を、上記３０秒乃至１分程度の間隔で段階をおいて明滅する。排水口１は赤外線受信部６に入力された情報に応じて有線により開閉されるため、同じく赤外線受信部６に有線にて接続されている発光部７の開閉の情報表示と完全に合致し、相違が生じることはない。そして、発光部７から出力された発光による開閉の情報は、エプロン部材８の表示部８ａを通過して表示されるため、浴室／浴槽Ｂの使用者が、浴槽Ｂ内の排水口１を視認することなくとも、排水口１の開閉状態を確認することができる。尚、発光部７の発光は、赤色または白色の光を、３０秒乃至１分程度の間隔で段階を置いて明滅させるため、イルミネーション的な効果を得ることができ、浴室／浴槽Ｂの使用者が違和感や嫌悪感を持つことは無い。排水口１の開閉状態を浴槽Ｂ内を視認することなく確認できることは、浴室の洗い場部Ｐ２上に移動しなくても排水口１の開閉状態を確認することができる、という事を意味する（たとえば、浴室に隣接して設けられた脱衣所から、浴室と脱衣所の間のドア越しに確認することができる、という事を意味する）。洗い場部Ｐ２など防水パンＰ上は排水が留まっている場合が多く、入浴以外で（当然であるが、入浴する場合浴槽Ｂの排水口１は確実に閉口しており、排水口１の開閉状態の確認の必要は無い。排水口１の開閉状態を確認する必要は、入浴する場合以外の時に生じる）洗い場部Ｐ２上に移動することは衣服や足裏が濡れる不具合が生じるため、本実施例のように、浴室内の洗い場部Ｐ２上に移動しなくても排水口１の開閉を確認することができると好適である。
【００２９】
本発明の実施例は以上のようであるが本発明は上記実施例に限定される物ではなく、主旨を変更しない範囲において自由に変更が可能である。
例えば、上記実施例では、槽体として浴槽Ｂを採用しているが、本発明はこれに限定される物ではなく、洗面台の洗面ボウルや、流し台のシンク等、他の槽体に本発明の遠隔操作式排水栓装置を採用しても構わない。
また、上記第三実施例では、鏡面体として、チューブ管の内面に、金属メッキなどの方法で鏡面を構成した導光管１２ａを利用しているが、本発明は上記実施例に限定されるものではなく、図６に示したように、単純に平板状の鏡面体１２ｂを、赤外線出力部５からの赤外線が、赤外線受信部６に向かって反射するように構成しても構わない。
また、上記実施例では、中継機構を、鏡面体を利用して赤外線を反射するものとしているが、本発明は上記実施例に限定されるものではなく、例えば、赤外線出力部５と赤外線受信部６とで、開閉の信号の規格が異なる場合に、赤外線出力部５の規格に沿った開閉信号を、赤外線受信部６の規格に沿った開閉信号に変換する変換器としての中継機構や、赤外線出力部５の赤外線の出力を、増幅して出力する増幅器としての中継機構等としても良い。
また、上記鏡面体と同様に、赤外線出力部５からの赤外線を受けて、同じ内容の情報を有する赤外線を方向を変えて出力するような中継機構としてもよい。この場合、中継機構の位置や方向の調整が、平板状の鏡面体１２ｂを用いた場合よりも容易になる、という効果がある。
【符号の説明】
【００３０】
１      排水口                  ２      弁部材
２ａ    弁体                    ２ｂ    嵌合部
３      駆動部                  ３ａ    弁軸
４      操作部                  ５      赤外線出力部
６      赤外線受信部            ７      発光部
８      エプロン部材            ８ａ    表示部
９      排水栓本体              ９ａ    フランジ部
１０    エルボ部材              １０ａ  接続口
１０ｂ  排出口                  １０ｃ  挿通管
１１    アーム部                １２ａ  導光管
１２ｂ  平板状の鏡面体          Ｂ      浴槽
Ｂ１    取付孔                  Ｂ２    操作部取付孔
Ｌ      電気配線                Ｐ      防水パン
Ｐ１    浴槽載置部              Ｐ２    洗い場部
Ｐ３    堰部分
【図１】
2013060788.tif 000003
【図２】
2013060788.tif 000004
【図３】
2013060788.tif 000005
【図４】
2013060788.tif 000006
【図５】
2013060788.tif 000007
【図６】
2013060788.tif 000008